(57)【要約】【課題】ディスクカートリッジの全体がディスクドライブ装置に挿入される前の段階での容易な識別を可能とする。【解決手段】少なくともディスクテーブル６６が挿入される開口部２２を有するアウターシェル２と、該アウターシェルの内部に回転自在に支持されたインナーシェル３と、該インナーシェルにそれぞれ回動自在に支持されたシャッター部材４、４と、インナーシェルと第１のシェルとの間に形成された収納空間に回転可能に収納されたディスク状記録媒体５とを備え、インナーシェルのアウターシェルに対する回転に伴ってシャッター部材が回動されてアウターシェルの開口部が開閉されると共にディスクドライブ装置の挿入口５１ａに挿入されディスクテーブルにディスク状記録媒体が装着されて使用されるディスクカートリッジ１において、少なくとも挿入口に対する挿入方向側に開口され他の種類のディスクカートリッジとの識別を行うための識別溝１７をアウターシェルに形成した。【選択図】        図１０
2004310829.tif 000002
【特許請求の範囲】
【請求項１】
少なくともディスクドライブ装置のディスクテーブルが挿入される開口部を有するアウターシェルと、該アウターシェルの内部に回転自在に支持されたインナーシェルと、該インナーシェルにそれぞれ回動自在に支持されたシャッター部材と、インナーシェルと第１のシェルとの間に形成された収納空間に回転可能に収納されたディスク状記録媒体とを備え、インナーシェルのアウターシェルに対する回転に伴ってシャッター部材が回動されてアウターシェルの開口部が開閉されると共にディスクドライブ装置の挿入口に挿入されディスクテーブルにディスク状記録媒体が装着されて使用されるディスクカートリッジであって、
少なくともディスクドライブ装置の挿入口に対する挿入方向側に開口され他の種類のディスクカートリッジとの識別を行うための識別溝を上記アウターシェルに形成した
ことを特徴とするディスクカートリッジ。
【請求項２】
上記アウターシェルの識別溝の上記挿入方向と反対方向における奥面を挿入方向における位置規制を行う位置規制面として形成した
ことを特徴とする請求項１に記載のディスクカートリッジ。
【請求項３】
上記第１のシェル及び第２のシェルはそれぞれディスク状記録媒体に対向して位置される主面部と該主面部の周縁に設けられた周面部とを有し、
上記識別溝を第１のシェルの主面部と第２のシェルの主面部との間を貫通しない状態で形成した
ことを特徴とする請求項１に記載のディスクカートリッジ。
【請求項４】
上記アウターシェルにディスクドライブ装置の内部に挿入されたときのディスクドライブ装置に対する位置決めの基準となる基準エリアを形成し、
該基準エリアの近傍に上記識別溝を形成した
ことを特徴とする請求項１に記載のディスクカートリッジ。
【請求項５】
上記識別溝を１つのみ形成した
ことを特徴とする請求項１に記載のディスクカートリッジ。
【発明の詳細な説明】
【０００１】
【発明の属する技術分野】
本発明はディスクカートリッジに関する。詳しくは、アウターシェルに他の種類のディスクカートリッジとの識別を行うための識別溝を形成し、ディスクカートリッジの全体がディスクドライブ装置に挿入される前の段階での容易な識別を可能とする技術分野に関する。
【０００２】
【従来の技術】
ディスクカートリッジには、アウターシェルの内部に回転自在に支持されたインナーシェルと、該インナーシェルにそれぞれ回動自在に支持されたシャッター部材と、インナーシェルとアウターシェルとの間に形成された収納空間に回転可能に収納されたディスク状記録媒体とを備え、インナーシェルのアウターシェルに対する回転に伴ってシャッター部材が回動されてアウターシェルの開口部が開閉されるタイプがある（例えば、特許文献１参照）。
【０００３】
上記したディスクカートリッジにあっては、部品の共通化等による低価格の実現等を図るために、異なる種類であっても、外形状が略同一の設計とされているものがある。
【０００４】
このような外形状が略同一の設計とされているディスクカートリッジとしては、例えば、書換型（Ｒｅｗｒｉｔａｂｌｅ）のディスクカートリッジとこれに対応した追記型（Ｗｒｉｔｅ  Ｏｎｃｅ）のディスクカートリッジ、書換型（Ｒｅｗｒｉｔａｂｌｅ）のディスクカートリッジとこれに対応した再生専用型（Ｒｅａｄ  Ｏｎｌｙ  Ｍｅｍｏｒｙ）のディスクカートリッジ、民生用規格のディスクカートリッジとこれに対応した業務用規格のディスクカートリッジ等がある。
【０００５】
【特許文献１】
特開２００１―３３２０５８号公報
【０００６】
【発明が解決しようとする課題】
ところが、上記のような外形状が略同一の設計とされている異なる種類のディスクカートリッジにあっては、外形状が略同じであるために、一方の種類のディスクカートリッジをディスクドライブ装置の挿入口から挿入しようとしたときに、使用者が、ディスクドライブ装置の挿入口に誤って他方の種類のディスクカートリッジを挿入してしまうおそれがある。
【０００７】
そこで、ディスクドライブ装置の種類によっては、上記のような誤挿入が行われたときに、ディスクカートリッジのディスク状記録媒体に予め記録されているＩＤ（Ｉｄｅｎｔｉｆｉｃａｔｉｏｎ）を読み取って他方の種類のディスクカートリッジを排出するようにしたものがある。
【０００８】
しかしながら、上記のようにＩＤを読み取って誤挿入されたディスクカートリッジを排出する場合には、挿入されたディスクカートリッジのディスク状記録媒体に対する読取動作が行われて初めて誤挿入であることが認識されるため、ディスクドライブ装置のディスクテーブルにディスクカートリッジのディスク状記録媒体が装着されるまでの時間、記録されたＩＤの読取を行うための時間及びディスクカートリッジのディスクドライブ装置からの排出のための時間が費やされ、使用者が一方の種類のディスクカートリッジを使用するまでに長時間待たなければならず、使い勝手が悪いという問題がある。
【０００９】
また、一方の種類のディスクカートリッジであるか他方の種類のディスクカートリッジであるかの識別情報（ＩＤ）がディスク状記録媒体に記録されているため、例えば、記録情報の改造等により識別情報の変更等が行われてしまうと、何れの種類のディスクカートリッジであるかを全く識別することができなくなってしまい、ディスク状記録媒体に記録されている情報の違法な加工、対応しないパワーを有するレーザー光が照射されることによるディスク状記録媒体の記録面の損傷、ディスクドライブ装置の内部機構の破壊等の種々の不具合を生じるおそれがある。
【００１０】
一方、略同一の設計とされているディスクカートリッジの種類によっては、転送レートの向上や編集作業等における作業性の向上を図るために、一方の種類のディスクカートリッジに対して他方の種類のディスクカートリッジのアウターシェルの開口部が大きくされており、この他方の種類のディスクカートリッジに対応したディスクドライブ装置に２つの光学ヘッド（光ピックアップ）が設けられ、ディスク状記録媒体がディスクテーブルに装着されたときに、２つの光学ヘッドが同時に開口部を介してディスク状記録媒体に対向して配置されるようになっている。
【００１１】
そこで、誤って一方の種類のディスクカートリッジが挿入されてしまった場合には、このディスクカートリッジの開口部が形成されていない部分と一方の光学ヘッドとの接触を回避するために、当該一方の光学ヘッドが待避されるようになっているが、光学ヘッドの待避スペースが必要となり、その分、ディスクドライブ装置の大型化を来たしている。
【００１２】
そこで、本発明ディスクカートリッジは、上記した問題点を克服し、ディスクカートリッジの全体がディスクドライブ装置に挿入される前の段階での容易な識別を可能とすることを課題とする。
【００１３】
【課題を解決するための手段】
本発明ディスクカートリッジは、上記した課題を解決するために、少なくともディスクドライブ装置のディスクテーブルが挿入される開口部を有するアウターシェルと、該アウターシェルの内部に回転自在に支持されたインナーシェルと、該インナーシェルにそれぞれ回動自在に支持されたシャッター部材と、インナーシェルと第１のシェルとの間に形成された収納空間に回転可能に収納されたディスク状記録媒体とを備え、インナーシェルのアウターシェルに対する回転に伴ってシャッター部材が回動されてアウターシェルの開口部が開閉されると共にディスクドライブ装置の挿入口に挿入されディスクテーブルにディスク状記録媒体が装着されて使用されるディスクカートリッジにおいて、少なくともディスクドライブ装置の挿入口に対する挿入方向側に開口され他の種類のディスクカートリッジとの識別を行うための識別溝を上記アウターシェルに形成したものである。
【００１４】
従って、本発明ディスクカートリッジにあっては、アウターシェルの識別溝の有無によって種類の識別が行われる。
【００１５】
【発明の実施の形態】
以下に、本発明ディスクカートリッジの実施の形態を添付図面を参照して説明する。尚、以下の実施の形態においては、一例として、民生用規格であるＢｌｕ―ｒａｙに対応した業務用規格のディスクカートリッジ１について説明するが、本発明に係るディスクカートリッジはＢｌｕ―ｒａｙに対応した業務用規格のディスクカートリッジ１以外の他のディスクカートリッジについても適用することができる。
【００１６】
先ず、ディスクカートリッジが挿入されて使用されるディスクドライブ装置について説明する（図１乃至図７参照）。
【００１７】
ディスクドライブ装置５０は外筐５１内に所定の各部が配置されて成る（図１参照）。外筐５１の前面には横長の挿入口５１ａが形成されている。挿入口５１ａはディスクカートリッジ１が挿入される挿入部として機能する他、ディスクカートリッジ１が排出される排出部としても機能する。
【００１８】
外筐５１内には固定フレーム５２が配置され、図２に示すように、固定フレーム５２は天板部５３と該天板部５３の左右両側縁から垂設された側板部５４、５４とを有している。側板部５４、５４には前後に離隔してそれぞれ２つずつのガイド孔５５、５５、・・・が形成されている（図３参照）。ガイド孔５５は前後に延びる水平部５５ａと該水平部５５ａの一端部から下方へ延びる垂直部５５ｂとから成る。
【００１９】
側板部５４、５４の下端部にはそれぞれ駆動ギヤ５６、５６が支持され、該駆動ギヤ５６、５６は図示しない駆動モーターの駆動力によって同期して回転される。
【００２０】
側板部５４、５４にはそれぞれカムスライダー５７、５７が前後方向（図３に示すＬ１―Ｌ２方向）へスライド自在に支持されている。カムスライダー５７、５７の下端部にはそれぞれラック部５７ａ、５７ａが設けられ、該ラック部５７ａ、５７ａにそれぞれ駆動ギヤ５６、５６が噛合されている。従って、駆動ギヤ５６、５６が駆動モーターの駆動力によって回転されると、その回転方向に応じてカムスライダー５７、５７が図３に示すＬ１―Ｌ２方向へ同期してスライドされる。
【００２１】
カムスライダー５７には前後に離隔してカム孔５８、５８が形成されている。カム孔５８は上側保持部５８ａと該上側保持部５８ａに連続するカム傾斜部５８ｂと該カム傾斜部５８ｂに連続する下側保持部５８ｃとから成る。カム傾斜部５８ｂはＬ１方向へ行くに従って下方へ変位され、下側保持部５８ｃは前後に長く形成されている。
【００２２】
固定フレーム５２の内部にはディスクホルダー５９が配置されている（図２及び図３参照）。ディスクホルダー５９は、図４に示すように、上面部５９ａと該上面部５９ａの左右両側縁からそれぞれ垂設された側面部５９ｂ、５９ｂと該側面部５９ｂ、５９ｂの下縁から互いに近付く方向へ突出された受け面部５９ｃ、５９ｃとを有している。
【００２３】
側面部５９ｂ、５９ｂにはそれぞれ前後に離隔して２つずつの被ガイドピン５９ｄ、５９ｄ、・・・が設けられ、該被ガイドピン５９ｄ、５９ｄ、・・・はそれぞれ側面部５９ｂ、５９ｂから外方（側方）へ突出されている。被ガイドピン５９ｄ、５９ｄ、・・・は、図３に示すように、それぞれ固定フレーム５２のガイド孔５５、５５、・・・及びカムスライダー５７のカム孔５８、５８、・・・を挿通され、ガイド孔５５、５５、・・・及びカム孔５８、５８、・・・に摺動自在に係合されている。
【００２４】
右側の受け面部５９ｃの後端部には検出センサー６０が配置されている（図４参照）。検出センサー６０は基体６０ａと該基体６０ａに対して回動可能な検出アーム６０ｂとを有し、検出アーム６０ｂが基体６０ａに近づく方向へ押圧されて回動されると、ディスクカートリッジ１のディスクホルダー５９に対する挿入完了状態が検出される。
【００２５】
尚、ディスクカートリッジ１のディスクホルダー５９に対する挿入完了状態の検出を行う手段としては検出センサー６０に限られることがなく、検出センサー６０に代えて、光学式のセンサーや磁気式のセンサー等の他の検出センサーを用いることもできる。
【００２６】
ディスクホルダー５９の内部にはディスクカートリッジ１を下方へ付勢するための図示しない押さえバネが配置されている。
【００２７】
左側の受け面部５９ｃの後端部には、上方へ突出された識別ピン６１が設けられている（図４参照）。
【００２８】
ディスクホルダー５９の一方の側面部５９ｂの内面には、ラック部材６２が前後方向へ移動自在に支持されている（図１参照）。ラック部材６２は、図５に示すように、前後方向に長く形成され、内面、即ち、側面部５９ｂに対向する側と反対側の面にラック６２ａが設けられている。ラック６２ａの前後にはそれぞれ内方へ突出された動作用突部６２ｂとロック用突部６２ｃとが設けられている。ラック部材６２は図示しない駆動機構によって前後方向へ移動される。
【００２９】
ディスクドライブ装置５０の内部にはベースユニット６３が配置されている。ベースユニット６３は配置ベース６４に所定の各部が配置されて成る（図６及び図７参照）。
【００３０】
配置ベース６４の略中央部にはスピンドルモーター６５が配置され、該スピンドルモーター６５のモーター軸６５ａにディスクテーブル６６が固定されている。ディスクテーブル６６には図示しないマグネットが埋設されている。
【００３１】
配置ベース６４には、ディスクテーブル６６を挟んだ前後にそれぞれ光ピックアップ６７、６７が移動自在に支持されている。光ピックアップ６７、６７はそれぞれ移動ベース６８、６８と該移動ベース６８、６８上に支持された２軸アクチュエーター６９、６９とを有している。移動ベース６８、６８には駆動用ラック６８ａ、６８ａが設けられている。
【００３２】
配置ベース６４にはディスクテーブル６６を挟んだ前後に、それぞれ２つずつのガイド軸７０、７０、・・・が配置されている。光ピックアップ６７、６７はそれぞれガイド軸７０、７０、・・・に案内されて前後方向へ移動される。
【００３３】
配置ベース６４、６４には複数のギヤを有する減速機構７１、７１が設けられ、該減速機構７１、７１の最後段のギヤがそれぞれ移動ベース６８、６８の駆動用ラック６８ａ、６８ａに噛合されている。従って、図示しないモーターの駆動力によって減速機構７１、７１が動作されると、モーターの回転方向に応じた方向へ駆動用ラック６８ａ、６８ａが送られ、光ピックアップ６７、６７がガイド軸７０、７０、・・・に案内されて前方又は後方へ移動される。
【００３４】
ベースユニット６３には位置決め部７２、７２と受部７３、７３が設けられている。
【００３５】
位置決め部７２、７２は配置ベース６４の前端寄りの位置から上方へ突出された軸部７２ａ、７２ａと該軸部７２ａ、７２ａの上面７２ｂ、７２ｂの中央部から上方へ突出された位置決めピン７２ｃ、７２ｃとから成る。位置決め部７２、７２は左右に離隔して位置されている。
【００３６】
受部７３、７３は配置ベース６４の後端寄りの位置から上方へ突出されており、上面が受け面７３ａ、７３ａとして形成されている。受け面７３ａ、７３ａの上下方向における位置は、位置決め部７２、７２の上面７２ｂ、７２ｂの上下方向における位置と同じにされている。受部７３、７３は左右に離隔して位置されている。
【００３７】
次に、ディスクカートリッジについて説明する（図８乃至図１１参照）。
【００３８】
ディスクカートリッジ１は扁平な形状に形成され、図８に示すように、アウターシェル２、インナーシェル３、一対のシャッター部材４、４及びディスク状記録媒体５を備えている。
【００３９】
アウターシェル２は第１のシェル６と第２のシェル７、８が上下で結合されて成る（図８及び図９参照）。
【００４０】
アウターシェル２は略四角形状に形成され、先端縁２ａ、即ち、ディスクドライブ装置５０に挿入されるときの挿入方向側の一端縁が緩やかな円弧状に形成されている。先端縁２ａは、図１０に示すように、基端縁２ｂ、即ち、挿入方向と反対側の一端縁の近傍で左右方向における中央に位置された基準ポイント２ｃを中心とした円弧状に形成されている。
【００４１】
アウターシェル２の右側面２ｄには、挿入方向に延びる挿入溝２ｅが形成されている（図９参照）。アウターシェル２の右側面２ｄには、先端縁２ａに寄った位置に突部挿通孔２ｆが形成され、該突部挿通孔２ｆより基端縁２ｂ側の位置にギヤ挿通孔２ｇが形成されている。突部挿通孔２ｆ及びギヤ挿通孔２ｇは挿入溝２ｅに開口されている。
【００４２】
第１のシェル６は下方に開口された浅い箱状に形成され、主面部６ａと該主面部６ａの周縁から垂設された周面部６ｂとを有している。第１のシェル６には、図８に示すように、下面の外周側の部分に下方へ突出された円形状の保持壁６ｃが設けられている。第１のシェル６には、保持壁６ｃの外周に沿って下方に開口された摺動溝６ｄが形成されている。
【００４３】
インナーシェル３は略円板状に形成された平面部９と該平面部９の外周縁に設けられたリング部１０とが一体に形成されて成り、該リング部１０は平面部９から上方へ突出されている。
【００４４】
平面部９には開口用切欠９ａが形成され、該開口用切欠９ａはリング部１０の互いに略１８０°反対側に位置する部分間に形成されている。従って、平面部９は開口用切欠９ａを挟んで第１の部分９ｂと第２の部分９ｃの２つの部分に分割されている。平面部９の第１の部分９ｂと第２の部分９ｃの下面には、それぞれ下方へ突出された支持軸９ｄ、９ｅが設けられている。
【００４５】
リング部１０の外面には、第２の部分９ｃ側の部分に、ギヤ１１が設けられている。リング部１０の外面には、ギヤ１１を挟んだ周方向における反対側の位置に、それぞれロック凹部１０ａと係合凹部１０ｂが形成されている。
【００４６】
インナーシェル３はリング部１０が第１のシェル６の摺動溝６ｄに挿入されて第１のシェル６に回転自在に支持される。
【００４７】
ディスク状記録媒体５は中心部に金属製のコア５ａを有している。ディスク状記録媒体５は第１のシェル６とインナーシェル３の平面部９との間に形成された空間内に回転可能な状態で収納される。
【００４８】
シャッター部材４、４はそれぞれ略半円形状を為す板状に形成され、それぞれ外周縁部が弦側部４ａ、４ａと円弧側部４ｂ、４ｂとによって構成されている。シャッター部材４、４には、それぞれ所定の方向に延びる被案内孔４ｃ、４ｃと各一端部に位置された被支持孔４ｄ、４ｄが形成されている。
【００４９】
シャッター部材４、４は、それぞれ被支持孔４ｄ、４ｄにインナーシェル３の支持軸９ｄ、９ｅが挿入され、該支持軸９ｄ、９ｅを支点としてシェル３に回動自在に支持される。
【００５０】
第２のシェル７、８は、図８及び図１１に示すように、それぞれ縦長の略矩形状に形成された平板状の主面部１２、１３と、該主面部１２、１３の内側の周縁を除いた周縁から上方へ突出された周面部１４、１５とが一体に形成されて成る。第２のシェル７、８の主面部１２、１３の上面には、それぞれ案内軸１２ａ、１３ａが設けられている。右側に位置する第２のシェル８には、主面部１３の先端部に、上方へ突出されたロック支持軸１３ｂが設けられている。
【００５１】
主面部１２、１３の下面には、その基端縁２ｂ寄りの位置にそれぞれ下方に開口された位置決め穴１２ｂ、１３ｃが形成されている（図１０参照）。位置決め穴１２ｂは円形状に形成され、位置決め穴１３ｃは稍横長の形状に形成されている。位置決め穴１２ｂ、１３ｃは挿入方向において同一位置にある。
【００５２】
第２のシェル７、８にはそれぞれ２つずつの基準エリア１６、１６、・・・が形成されており、該基準エリア１６、１６、・・・は、ディスクカートリッジ１がディスクドライブ装置５０に挿入されたときの高さ方向（垂直方向）における基準面となる領域である。第２のシェル７の基準エリア１６、１６は、主面部１２の先端部の左端寄りの部分と位置決め穴１２ｂの開口縁付近とによって構成されている。第２のシェル８の基準エリア１６、１６は、主面部１３の先端部の右端寄りの部分と位置決め穴１３ｃの開口縁付近とによって構成されている。
【００５３】
第２のシェル７の先端部には挿入方向及び下方に開口された識別溝１７が形成されている（図１０参照）。識別溝１７は縦長に形成され、主面部１２の先端部の左端寄りの部分にある基準エリア１６の近傍の位置に形成されている。識別溝１７の先端側の開口縁部には、先端縁２ａに近づくに従って互いに離隔する方向へ傾斜する導入部１７ａ、１７ａが形成されている。識別溝１７の左右の側面はそれぞれ左側規制面１７ｂ、右側規制面１７ｃとして形成され、奥面は奥側規制面１７ｄとして形成されている。左側規制面１７ｂと右側規制面１７ｃとの間の間隔は、ディスクドライブ装置５０のディスクホルダー５９に設けられた識別ピン６１の直径と略同じか僅かに大きく形成されている。
【００５４】
ディスクカートリッジ１のディスクドライブ装置５０に対する挿入方向をＹ方向とし、ディスクカートリッジ１の厚み方向及びＹ方向にともに直交する方向をＸ方向とすると、識別溝１７は、例えば、図１０に示すように、左側規制面１７ｂの位置が位置決め穴１２ｂの中心とＸ方向において一致されている。
【００５５】
第２のシェル８のロック支持軸１３ｂにはロック部材１８が回動可能に支持される（図８及び図１１参照）。ロック部材１８は円環状の被支持部１９と該被支持部１９から一方へ突出された作用突部２０と被支持部１９から作用突部２０の略反対方向へ突出されたロック突部２１とが一体に形成されて成る。ロック突部２１は二股状に形成され、ロック片部２１ａと弾接片部２１ｂとから成る。ロック部材１８は被支持部１９にロック支持軸１３ｂが挿入されて第２のシェル８に回動自在に支持される。
【００５６】
ロック部材１８が第２のシェル８に支持された状態においては、作用突部２０の先端部がアウターシェル２の突部挿通孔２ｆから突出され、ロック片部２１ａと弾接片部２１ｂがそれぞれインナーシェル３のリング部１０の外面と第２のシェル８の周面部１４の内面に弾接又は当接される。
【００５７】
第２のシェル７、８はそれぞれ第１のシェル６の左端側の部分及び右端側の部分に、例えば、ネジ止めにより結合される。第２のシェル７、８が第１のシェル６に結合された状態において、第２のシェル７、８間に開口が形成され、この開口がシャッター部材４、４によって開閉される開口部２２とされる。開口部２２は挿入方向に長く形成され、長手方向における中央部が上記ディスクテーブル６６が挿入されるテーブル挿入部２２ａとされ、該テーブル挿入部２２ａを挟んだ反対側の部分がそれぞれ光ピックアップ６７、６７から照射されるレーザー光の透過部となる第１の動作用部２２ｂ、第２の動作用部２２ｃとされる。開口部２２はインナーシェル３の上記開口用切欠９ａと略同じ大きさ及び略同じ形状に形成されている。
【００５８】
第２のシェル７、８が第１のシェル６に結合された状態においては、第２のシェル７、８の主面部１２、１３に設けられた案内軸１２ａ、１３ａがそれぞれシャッター部材４、４の被案内孔４ｃ、４ｃに摺動自在に係合される。
【００５９】
以下に、ディスクカートリッジ１がディスクドライブ装置５０の挿入口５１ａから挿入されたときの動作について説明する（図１２乃至図２２参照）。
【００６０】
先ず、挿入口５１ａに挿入される前のディスクカートリッジ１の状態について説明する（図１２参照）。
【００６１】
インナーシェル３はリング部１０のロック凹部１０ａにロック部材１８のロック片部２１ａが係合されている。従って、インナーシェル３は開口用切欠９ａが開口部２２に対して所定の角度傾斜された初期位置においてロックされ、アウターシェル２に対する回転が規制されている。
【００６２】
シャッター部材４、４は被案内孔４ｃ、４ｃの一端部、即ち、円弧側部４ｂ、４ｂ側の端部にそれぞれ第２のシェル７、８の案内軸１２ａ、１３ａが係合されている。従って、シャッター部材４、４の弦側部４ａ、４ａが重ね合わされ、閉塞位置に保持されている。
【００６３】
アウターシェル２の開口部２２はシャッター部材４、４が閉塞位置にあるため、閉塞されている。
【００６４】
ディスクカートリッジ１がディスクドライブ装置５０の挿入口５１ａから内部に挿入されていくと、ディスクカートリッジ１はディスクホルダー５９の側面部５９ｂ、５９ｂに沿って移動され、ディスクホルダー５９に設けられた識別ピン６１がアウターシェル２に形成された識別溝１７に挿入される（図１３参照）。識別溝１７の開口縁部には先端縁２ａに近づくに従って互いに離隔する方向へ傾斜する導入部１７ａ、１７ａが形成されているため、識別ピン６１は導入部１７ａ、１７ａに案内されて確実かつ円滑に識別溝１７に挿入される。
【００６５】
識別ピン６１が識別溝１７に挿入されるとディスクカートリッジ１がディスクホルダー５９に保持される保持位置に至り（図１４参照）、挿入されたディスクカートリッジが業務用のディスクカートリッジ１であることが識別される。ディスクカートリッジ１が保持位置に至った状態においては、ディスクカートリッジ１の基端縁２ｂ側の一部が挿入口５１ａから外部へ突出されている。
【００６６】
尚、上記には、識別溝１７に挿入される手段として識別ピン６１を例として示したが、識別溝１７に挿入される手段としては識別ピン６１に限られることはなく、例えば、識別ピン６１に代えて、ディスクホルダー５９の一部を切り起こして形成した挿入片やディスクホルダー５９に取り付けた樹脂製の挿入部を用いることもできる。
【００６７】
このような挿入片や挿入部を用いることにより、低コストで挿入溝１７に挿入する手段を設けることができ、ディスクドライブ装置５０の製造コストの低減を図ることができる。
【００６８】
ディスクカートリッジ１が保持位置に至った状態においては、ディスクカートリッジ１の基端縁２ｂ側の一部が挿入口５１ａから外部へ突出されている。
【００６９】
尚、民生用のディスクカートリッジには識別溝１７が形成されていないため、民生用のディスクカートリッジが挿入口５１ａから挿入されたときにはディスクカートリッジが識別ピン６１に接触されて保持位置まで至らず、挿入されたディスクカートリッジが民生用のディスクカートリッジであることが識別される。このとき民生用のディスクカートリッジの一部が挿入口５１ａから外部へ突出されているため、誤って挿入された民生用のディスクカートリッジを引き抜くことによりディスクドライブ装置５０から取り出すことができる。
【００７０】
識別ピン６１が識別溝１７に挿入されることにより、左側規制面１７ｂと右側規制面１７ｃとによってディスクホルダー５９内におけるディスクカートリッジ１の左右方向（図１０に示すＸ方向）における位置が規制される。また、識別ピン６１が識別溝１７に挿入され識別ピン６１が奥側規制面１７ｄに接することにより、奥側規制面１７ｄによってディスクホルダー５９内におけるディスクカートリッジ１の前後方向（図１０に示すＹ方向）における位置が規制される。従って、識別ピン６１はディスクホルダー５９内におけるディスクカートリッジ１の位置を規制する位置規制ピンとしても機能し、識別溝１７はディスクホルダー５９内におけるディスクカートリッジ１の位置を規制する位置規制用の溝としても機能する。
【００７１】
尚、上記には、識別ピン６１が識別溝１７に挿入されたときに、挿入されたディスクカートリッジが業務用のディスクカートリッジ１であることが識別され、同時に、ＸＹ方向における位置規制が行われる例を説明したが、識別ピン６１が識別溝１７に挿入されたときに、例えば、挿入されたディスクカートリッジが業務用のディスクカートリッジ１であることの識別のみが行われるようにしてもよく、また、ディスクカートリッジ１であることの識別とＸ方向のみの位置規制が行われるようにしてもよく、さらには、ディスクカートリッジ１であることの識別とＹ方向のみの位置規制が行われるようにしてもよい。
【００７２】
識別ピン６１が識別溝１７に挿入されると、ディスクカートリッジ１の先端縁２ａによって検出センサー６０の検出アーム６０ｂが押圧されて回動され（図１３参照）、検出センサー６０によってディスクカートリッジ１が保持位置まで挿入されたことが検出される。検出センサー６０によってディスクカートリッジ１が保持位置まで挿入されたことが検出されると、駆動モーターの回転が開始される。駆動モーターが回転されると、駆動ギヤ５６、５６の回転によりカムスライダー５７、５７が図１４に示すＬ１方向へスライドされる。
【００７３】
カムスライダー５７、５７がＬ１方向へスライドされると、被ガイドピン５９ｄ、５９ｄ、・・・が固定フレーム５２のガイド孔５５、５５、・・・の水平部５５ａ、５５ａ、・・・内をＬ１方向へ移動され、ディスクカートリッジ１を保持したディスクホルダー５９がＬ１方向へ移動される。
【００７４】
被ガイドピン５９ｄ、５９ｄ、・・・が水平部５５ａ、５５ａ、・・・の後端部に達することによりディスクホルダー５９は引込位置に至り（図１５参照）、駆動ギヤ５６、５６の回転が一旦停止される。ディスクホルダー５９が引込位置に至ると、ディスクカートリッジ１の全体がディスクドライブ装置５０内に挿入される。
【００７５】
続いて、ラック部材６２の図１５に示すＬ２方向への移動が開始される。ラック部材６２がＬ２方向へ移動されると、ディスクカートリッジ１のアウターシェル２の挿入溝２ｅに動作用突部６２ｂ及びラック６２ａが順に挿入されていく（図１６参照）。
【００７６】
ラック部材６２がＬ２方向へ移動され動作用突部６２ｂ及びラック６２ａが挿入溝２ｅに挿入されると、図１７に示すように、ラック６２ａによってロック部材１８の作用突部２０がアウターシェル２の内側へ押し込まれると共に動作用突部６２ｂがインナーシェル３の係合凹部１０ｂに挿入されて係合される。
【００７７】
ラック６２ａによってロック用突部６２ｃがアウターシェル２の内側へ押し込まれると、ロック部材１８が図１２に示すＳ１方向へ回動され、ロック片部２１ａがロック凹部１０ａから離隔されロック部材１８によるインナーシェル３に対するロックが解除される。
【００７８】
引き続きラック部材６２がＬ２方向へ移動されていくと、動作用突部６２ｂの移動に伴ってインナーシェル３が図１７に示すＲ１方向へ回転され、ラック６２ａがインナーシェル３のギヤ１１に噛合される（図１８参照）。このときインナーシェル３の回転に伴ってシャッター部材４、４がＲ１方向へ回転される。
【００７９】
さらにラック部材６２がＬ２方向へ移動されていくと、動作用突部６２ｂの係合凹部１０ｂへの係合が解除されるが、ラック６２ａがギヤ１１と噛合されているため、ラック部材６２の移動に伴ってインナーシェル３がさらにＲ１方向へ回転される。このときシャッター部材４、４の被案内孔４ｃ、４ｃ内を案内軸１２ａ、１３ａが相対的に移動され、シャッター部材４、４がインナーシェル３に対して回動されていく。従って、シャッター部材４、４は弦側部４ａ、４ａが互いに離隔されていく。
【００８０】
引き続きラック部材６２がＬ２方向へ移動されると、ロック用突部６２ｃがインナーシェル３のロック凹部１０ａに係合され、ラック部材６２のＬ２方向への移動が停止される（図１９参照）。ラック部材６２のＬ２方向への移動が停止された状態においては、インナーシェル３は停止位置に至り、開口用切欠９ａが開口部２２に一致されている。このとき第２のシェル７、８の案内軸１２ａ、１３ａは被案内孔４ｃ、４ｃの弦側部４ａ、４ａ側の端部に係合されており、シャッター部材４、４は全体がそれぞれインナーシェル３の第１の部分９ｂと第２のシェル７との間及びインナーシェル３の第２の部分９ｃと第２のシェル８との間に位置され、開口部２２の全体が開放されディスク状記録媒体５の一部が露出される。
【００８１】
ラック部材６２のＬ２方向への移動が停止され開口部２２の全体が開放されると、再度、駆動ギヤ５６、５６の回転が開始される。駆動ギヤ５６、５６が回転されると、再びカムスライダー５７、５７が図１５に示すＬ１方向へスライドされる。
【００８２】
カムスライダー５７、５７がＬ１方向へスライドされると、被ガイドピン５９ｄ、５９ｄ、・・・が固定フレーム５２のガイド孔５５、５５、・・・の垂直部５５ｂ、５５ｂ、・・・内及びカムスライダー５７、５７のカム孔５８、５８、・・・のカム傾斜部５８ｂ、５８ｂ、・・・内を移動され、ディスクカートリッジ１を保持したディスクホルダー５９がラック部材６２と一体となって図１５に示すＨ１方向（下方）へ移動される（図２０参照）。
【００８３】
引き続きカムスライダー５７、５７がＬ１方向へスライドされて被ガイドピン５９ｄ、５９ｄ、・・・が水平部５５ａ、５５ａ、・・・の下端部及びカム孔５８、５８、・・・の下側保持部５８ｃ、５８ｃ、・・・に達することによりディスクホルダー５９は装着位置に至り（図２１参照）、駆動モーターの回転が停止される。ディスクホルダー５９が装着位置に至るときには、アウターシェル２の開口部２２のテーブル挿入部２２ａからディスクテーブル６６が挿入され（図２２参照）、ディスク状記録媒体５のコア５ａがディスクテーブル６６のマグネットに吸着されてディスク状記録媒体５がディスクテーブル６６に装着される。このときベースユニット６３に設けられた位置決め部７２、７２の位置決めピン７２ｃ、７２ｃが、それぞれディスクカートリッジ１の位置決め穴１２ｂ、１３ｃに挿入される。
【００８４】
ディスクホルダー５９が装着位置に至った状態においては、ディスクホルダー５９の内部に設けられた押さえバネによってＣＣ１が下方へ付勢されており、ディスクカートリッジ１の基準エリア１６、１６、・・・がそれぞれ位置決め部７２、７２の軸部７２ａ、７２ａの上面７２ｂ、７２ｂ及び受部７３、７３の受け面７３ａ、７３ａに押し付けられる。また、開口部２２の第１の動作用部２２ｂと第２の動作用部２２ｃに対応して、それぞれ光ピックアップ６７、６７が位置される（図２２参照）。
【００８５】
位置決めピン７２ｃ、７２ｃがそれぞれ位置決め穴１２ｂ、１３ｃに挿入されることにより、図１０に示すＸＹ方向、即ち、前後方向及び左右方向におけるディスクカートリッジ１の位置決めが行われる。基準エリア１６、１６、・・・がそれぞれ上面７２ｂ、７２ｂ及び受け面７３ａ、７３ａに押し付けられることにより、高さ方向（上下方向）におけるディスクカートリッジ１の位置決めが行われる。
【００８６】
ディスク状記録媒体５がディスクテーブル６６に装着されると、該ディスクテーブル６６の回転に伴ってディスク状記録媒体５が回転されると共に光ピックアップ６７、６７の駆動によってディスク状記録媒体５に対する情報信号の記録又は再生が行われる。尚、光ピックアップ６７、６７は、使用者の要求に応じて一方又は双方が駆動されるが、双方の光ピックアップ６７、６７の駆動により転送レートの向上や編集作業等における作業性の向上を図ることができる。
【００８７】
情報信号の記録又は再生が終了すると、駆動モーターが先程とは反対方向へ回転され、上記とは逆の動作によりディスクカートリッジ１がイジェクトされる。即ち、先ず、カムスライダー５７、５７がＬ２方向へ移動されてディスクカートリッジ１を保持したディスクホルダー５９がラック部材６２と一体となってＨ２方向（上方）へ移動され、次に、ラック部材６２がＬ１方向へ移動されてインナーシェル３がＲ２方向へ回転されてシャッター部材４、４によって開口部２２が閉塞され、次いで、再びカムスライダー５７、５７がＬ２方向へ移動されてディスクカートリッジ１を保持したディスクホルダー５９がＬ２方向へ移動される。このときディスクカートリッジ１はディスクドライブ装置５０に設けられた図示しない一対のイジェクトレバーによって先端縁２ａ側の面を押圧され、挿入口５１ａから基端縁２ｂ側の一部が突出される。使用者は挿入口５１ａから突出された一部を把持して引き抜くことによりディスクカートリッジ１をディスクドライブ装置５０から取り出すことができる。
【００８８】
以上に記載した通り、ディスクカートリッジ１にあっては、ディスクドライブ装置５０の挿入口５１ａに対する挿入方向側に開口され他の種類のディスクカートリッジとの識別を行うための識別溝１７が形成されているため、挿入口５１ａに挿入した時点で挿入されたディスクカートリッジの種類が識別され、誤挿入である場合には挿入口５１ａに挿入した直後にディスクカートリッジを取り出せばよく、使い勝手の向上を図ることができる。
【００８９】
また、ディスクドライブ装置５０の内部に他の種類のディスクカートリッジとの識別を行うための複雑な識別機構を設ける必要がなく、ディスクドライブ装置５０の機構の簡素化及び製造コストの低減を図ることができる。
【００９０】
さらに、ディスクドライブ装置５０のディスクテーブル６６には２つの光ピックアップ６７、６７に対応する開口部２２を有するディスクカートリッジ１のディスク状記録媒体５のみが装着されるため、民生用規格のディスクカートリッジと一方の光ピックアップ６７との接触を回避するために当該一方の光ピックアップ６７を退避させる必要がなく、退避スペースを必要としない分、ディスクドライブ装置５０の小型化を図ることができると共に光ピックアップ６７、６７の動作を同時に開始でき動作開始までの時間の短縮化を図ることができる。
【００９１】
さらにまた、識別溝１７に識別ピン６１が挿入され奥側規制面１７ｄに接することによりディスクホルダー５９に対する挿入方向における位置規制が行われるため、ディスクホルダー５９が下降されたときに位置決め穴１２ｂ、１３ｃに位置決め部７２、７２の位置決めピン７２ｃ、７２ｃを円滑に挿入することができ、位置決めピン７２ｃ、７２ｃと位置決め穴１２ｂ、１３ｃとの接触による両者の削れや摩耗等を防止することができる。
【００９２】
加えて、ディスクカートリッジ１にあっては、識別溝１７が上下に貫通されておらず先端縁２ａがその左端から右端まで途切れていないため、例えば、イジェクトレバー等のディスクドライブ装置５０の内部に設けられた各部が識別溝１７に挿入されることがなく、イジェクトレバーによる排出エラー等の不具合を防止することができる。
【００９３】
尚、一般に、ディスクドライブ装置にあっては、ディスクカートリッジ１が挿入されたときに基準エリア１６、１６、・・・の付近の位置には位置決め部７２、７２や受部７３、７３との干渉を避けるためにイジェクトレバー等の各部が配置されていないため、ディスクカートリッジ１のように識別溝１７を基準エリア１６の近傍に形成することにより、ディスクカートリッジ１が誤って民生用規格に対応したディスクドライブ装置に挿入された場合に、イジェクトレバー等の各部との干渉を回避することができる。
【００９４】
また、ディスクカートリッジにおいて識別溝１７を複数形成することも考慮されるが、ディスクカートリッジ１のように識別溝１７を１つのみ形成することにより、識別溝１７を複数形成した場合に比し、ディスクドライブ装置５０の内部に設けられた各部の識別溝１７への意図しない挿入の可能性が低くなり、例えば、一方のイジェクトレバーが識別溝１７に挿入されてしまった場合においても、他方のイジェクトレバーによって先端縁２ａが確実に押圧され、ディスクカートリッジ１の排出を確実に行うことができる。
【００９５】
上記には、下方及び挿入方向に開口された識別溝１７を有するディスクカートリッジ１について説明したが、識別溝は少なくとも挿入方向に開口されていればよく、例えば、図２３に示すような挿入方向及び上下方向に開口された識別溝１７Ａであってもよく、図２４に示すような挿入方向及び上方に開口された識別溝１７Ｂであってもよく、図２５に示すような挿入方向のみに開口された識別溝１７Ｃであってもよい。識別溝１７Ａ、１７Ｂ、１７Ｃにあっても、識別溝１７の導入部１７ａ、１７ａと同様の識別ピンを円滑に挿入するための導入部を形成することが望ましい。
【００９６】
識別溝１７Ｂの場合には、ディスクドライブ装置５０には下方へ突出された識別ピン６１Ｂを設ければよく、識別溝１７Ｃの場合には、ディスクドライブ装置５０には前方へ突出された識別ピン６１Ｃを設ければよい。
【００９７】
上記には、ディスクホルダー５９が引込位置から装着位置へ向けて下降されたときに、Ｘ方向に離隔した位置決め穴１２ｂ、１３ｃによってディスクカートリッジ１のディスクドライブ装置５０に対する位置決めを行っている。この場合には、ディスクドライブ装置５０に設けられる各機構の配置可能なエリアが、図２６に示すように、位置決め部７２、７２を回避する部分であるディスクカートリッジ１の基端縁２ｂ側のエリアを除いたエリアＥ１となる。従って、エリアＥ１によっては開口部２２の全体がカバーされない。
【００９８】
一方、ディスクカートリッジ１にあっては、ディスクホルダー５９が引込位置から装着位置へ向けて下降されたときに、Ｙ方向に離隔した位置決め穴１２ｂと識別溝１７を用いてディスクカートリッジ１のディスクドライブ装置５０に対する位置決めを行うことが可能である。このときディスクドライブ装置５０には、位置決め穴１２ｂと識別溝１７に対応した位置に位置決め部７２、７２を設ける必要がある。この場合には、ディスクドライブ装置５０に設けられる各機構の配置可能なエリアが、図２７に示すように、位置決め部７２、７２を回避する部分であるディスクカートリッジ１の左側縁側のエリアを除いたエリアＥ２となる。従って、エリアＥ２によって開口部２２の全体がカバーされる。
【００９９】
このように位置決めに際して位置決め穴１２ｂと識別溝１７を用いることにより、開口部２２の全体がカバーされるエリアＥ２をディスクドライブ装置５０に設けられる各機構の配置可能なエリアとすることができるため、業務用規格に対応して２つの光ピックアップ６７、６７を有するディスクドライブ装置５０にあっては、各機構の配置が有利となる。
【０１００】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１０１】
【発明の効果】
以上に記載したところから明らかなように、本発明ディスクカートリッジは、少なくともディスクドライブ装置のディスクテーブルが挿入される開口部を有するアウターシェルと、該アウターシェルの内部に回転自在に支持されたインナーシェルと、該インナーシェルにそれぞれ回動自在に支持されたシャッター部材と、インナーシェルと第１のシェルとの間に形成された収納空間に回転可能に収納されたディスク状記録媒体とを備え、インナーシェルのアウターシェルに対する回転に伴ってシャッター部材が回動されてアウターシェルの開口部が開閉されると共にディスクドライブ装置の挿入口に挿入されディスクテーブルにディスク状記録媒体が装着されて使用されるディスクカートリッジであって、少なくともディスクドライブ装置の挿入口に対する挿入方向側に開口され他の種類のディスクカートリッジとの識別を行うための識別溝を上記アウターシェルに形成したことを特徴とする。
【０１０２】
従って、ディスクカートリッジを挿入口に挿入した時点で挿入されたディスクカートリッジの種類が識別され、誤挿入である場合には挿入口に挿入した直後にディスクカートリッジを取り出せばよく、使い勝手の向上を図ることができる。
【０１０３】
また、ディスクドライブ装置の内部に他の種類のディスクカートリッジとの識別を行うための複雑な識別機構を設ける必要がなく、ディスクドライブ装置の機構の簡素化及び製造コストの低減を図ることができる。
【０１０４】
請求項２に記載した発明にあっては、上記アウターシェルの識別溝の上記挿入方向と反対方向における奥面を挿入方向における位置規制を行う規制面として形成したので、ディスク状記録媒体がディスクテーブルに装着されるときにディスクカートリッジのディスクドライブ装置に対する位置決めを確実かつ円滑に行うことができる。
【０１０５】
請求項３に記載した発明にあっては、上記第１のシェル及び第２のシェルはそれぞれディスク状記録媒体に対向して位置される主面部と該主面部の周縁に設けられた周面部とを有し、上記識別溝を第１のシェルの主面部と第２のシェルの主面部との間を貫通しない状態で形成したので、例えば、イジェクトレバー等のディスクドライブ装置の内部に設けられた各部が識別溝に挿入されることがなく、イジェクトレバーによる排出エラー等の不具合を防止することができる。
【０１０６】
請求項４に記載した発明にあっては、上記アウターシェルにディスクドライブ装置の内部に挿入されたときのディスクドライブ装置に対する位置決めの基準となる基準エリアを形成し、該基準エリアの近傍に上記識別溝を形成したので、ディスクカートリッジが誤って他の種類のディスクドライブ装置に挿入された場合に、イジェクトレバー等の各部との干渉を回避することができる。
【０１０７】
請求項５に記載した発明にあっては、上記識別溝を１つのみ形成したので、識別溝を複数形成した場合に比し、ディスクドライブ装置の内部に設けられた各部の識別溝への意図しない挿入の可能性を低下させることができる。
【図面の簡単な説明】
【図１】図２乃至図２７と共に本発明の実施の形態を示すものであり、本図はディスクカートリッジとディスクドライブ装置を示す概略斜視図である。
【図２】ディスクカートリッジとディスクホルダーを示す概略斜視図である。
【図３】固定フレームとカムスライダーとラック部材とを示す概略側面図である。
【図４】ディスクホルダーを一部を切り欠いて示す斜視図である。
【図５】ラック部材を示す拡大平面図である。
【図６】ベースユニットを示す概略平面図である。
【図７】ベースユニットを示す概略側面図である。
【図８】ディスクカートリッジの分解斜視図である。
【図９】ディスクカートリッジの斜視図である。
【図１０】ディスクカートリッジの底面図である。
【図１１】第２のシェルの平面図である。
【図１２】図１３乃至図２２と共にディスクカートリッジがディスクドライブ装置の挿入口に挿入されるときの動作を示すものであり、本図はディスクカートリッジが挿入口に挿入される前の状態を示す概略平面図である。
【図１３】ディスクカートリッジが挿入口に挿入され、識別溝に識別ピンが挿入された状態を一部を切り欠いて示す平面図である。
【図１４】ディスクカートリッジが挿入口から保持位置まで挿入された状態を示す概略側面図である。
【図１５】図１４に引き続き、ディスクホルダーが水平方向へ移動された状態を示す概略側面図である。
【図１６】図１５に引き続き、ラック部材の移動が開始された直後の状態を一部を断面にして示す概略平面図である。
【図１７】図１６に引き続き、ラック部材が移動されロック部材によるインナーシェルに対するロックが解除された状態を一部を断面にして示す概略平面図である。
【図１８】図１７に引き続き、ラック部材が移動されインナーシェルが回転されている状態を一部を断面にして示す概略平面図である。
【図１９】図１８に引き続き、ラック部材が移動され開口部が開放された状態を一部を断面にして示す概略平面図である。
【図２０】ディスクホルダーが下降されている状態を示す概略側面図である。
【図２１】ディスクホルダーが下降され装着位置まで移動された状態を示す概略側面図である。
【図２２】ディスク状記録媒体がディスクテーブルに装着された状態を示す概略側面図である。
【図２３】図２４及び図２５と共に識別溝の別の形状を示すものであり、本図は挿入方向及び上下方向に開口された識別溝を有するディスクカートリッジを示す概念図である。
【図２４】挿入方向及び上方に開口された識別溝を有するディスクカートリッジを示す概念図である。
【図２５】挿入方向のみに開口された識別溝を有するディスクカートリッジを示す概念図である。
【図２６】Ｘ方向に離隔した位置決め穴によってディスクカートリッジの位置決めが行われるときの各機構の配置可能なエリアを説明するための概念図である。
【図２７】Ｙ方向に離隔した位置決め穴と識別溝によってディスクカートリッジの位置決めが行われるときの各機構の配置可能なエリアを説明するための概念図である。
【符号の説明】
１…ディスクカートリッジ、２…アウターシェル、３…インナーシェル、４…シャッター部材、５…ディスク状記録媒体、６…第１のシェル、７…第２のシェル、８…第２のシェル、１２…主面部、１３…主面部、１４…周面部、１５…周面部、１６…基準エリア、１７…識別溝、１７ｄ…奥側規制面（位置規制面）、２２…開口部、１７Ａ…識別溝、１７Ｂ…識別溝、１７Ｃ…識別溝、５０…ディスクドライブ装置、５１ａ…挿入口、６６…ディスクテーブル
【図１】
2004310829.tif 000003
【図２】
2004310829.tif 000004
【図３】
2004310829.tif 000005
【図４】
2004310829.tif 000006
【図５】
2004310829.tif 000007
【図６】
2004310829.tif 000008
【図７】
2004310829.tif 000009
【図８】
2004310829.tif 000010
【図９】
2004310829.tif 000011
【図１０】
2004310829.tif 000012
【図１１】
2004310829.tif 000013
【図１２】
2004310829.tif 000014
【図１３】
2004310829.tif 000015
【図１４】
2004310829.tif 000016
【図１５】
2004310829.tif 000017
【図１６】
2004310829.tif 000018
【図１７】
2004310829.tif 000019
【図１８】
2004310829.tif 000020
【図１９】
2004310829.tif 000021
【図２０】
2004310829.tif 000022
【図２１】
2004310829.tif 000023
【図２２】
2004310829.tif 000024
【図２３】
2004310829.tif 000025
【図２４】
2004310829.tif 000026
【図２５】
2004310829.tif 000027
【図２６】
2004310829.tif 000028
【図２７】
2004310829.tif 000029